(57)【要約】  【課題】コンセント口の口数を容易に増減し、口数増大などで生じる接続部分を防塵および防水し、しかもコンセントの口数の増大を制限する。  【解決手段】コードユニット１と、複数のコンセント口を有する本体ユニット３と、複数のコンセント口を有する増設ユニット２とを備えた。本体ユニット３は、コードユニット１と接続されこのコードユニットとの接続部分を密閉する構造を持つ本体電源入力部３Ａと、この本体電源入力部３Ａとの相互接続を禁止する構造を持ち増設ユニット２と接続される本体電源出力部３Ｂとを備える一方、増設ユニット２は、本体ユニット３の本体電源出力部３Ｂと接続される増設電源入力部２Ａを備える。そして、本体電源出力部３Ｂおよび増設電源入力部２Ａは、これらの接続部分を密閉する構造になっている。【選択図】図１
2005327632.tif 000002
【特許請求の範囲】
【請求項１】
コードユニットと、複数のコンセント口を有する本体ユニットと、複数のコンセント口を有する増設ユニットとにより構成されるテーブルタップシステムであって、
前記本体ユニットは、前記コードユニットと接続されこのコードユニットとの接続部分を密閉する構造を持つ本体電源入力部と、この本体電源入力部との相互接続を禁止する構造を持ち前記増設ユニットと接続される本体電源出力部とを備える一方、前記増設ユニットは、前記本体ユニットの本体電源出力部と接続される増設電源入力部を備え、前記本体電源出力部および前記増設電源入力部は、これらの接続部分を密閉する構造になっていることを特徴とするテーブルタップシステム。
【請求項２】
前記コードユニットと、前記増設ユニットと、前記本体ユニットとのみを備え、
前記コードユニットは、複数のプラグ端子を突出保持する電源プラグと、複数の端子挿入孔を有するとともにこれら複数の端子挿入孔直下にそれぞれ複数の端子受け部を収納する接続コンセントと、これら電源プラグおよび接続コンセントと接続され、前記電源プラグの複数のプラグ端子と前記接続コンセントの複数の端子受け部とをそれぞれ電気的に接続する電源コードとを備え、
前記増設ユニットは、中空の多面体形状に形成され、前記増設電源入力部を一の面に構成し、その他の面に外部機器からの電源プラグの複数のプラグ端子をそれぞれ挿入するための複数の端子挿入孔を複数組み有する増設側器体と、前記増設電源入力部に設けられるとともに突出保持される複数のプラグ式接続端子と、前記増設側器体内に収納され、当該他の面の複数組みの複数の端子挿入孔直下にそれぞれ設けられる複数組みの複数の端子受け部と、前記増設側器体内に収納され、当該複数のプラグ式接続端子および当該複数組みの複数の端子受け部をそれぞれ極性別に電気的に接続する複数の導電部とを備え、
前記本体ユニットは、中空の多面体形状に形成され、一の面に前記本体電源入力部が構成されるとともに、その別の面に、前記本体電源出力部が、前記増設電源入力部の複数のプラグ式接続端子をそれぞれ挿入するための複数の端子挿入孔を有する構造に構成され、その他の面に、外部機器からの電源プラグの複数のプラグ端子をそれぞれ挿入するための複数の端子挿入孔を複数組み有する本体側器体と、前記本体電源入力部に設けられるとともに突出保持され、前記接続コンセントの複数の端子受け部と電気的に接離自在に接続される複数のプラグ式接続端子と、前記本体電源出力部に設けられて前記本体側器体内に収納され、当該本体電源出力部の複数の端子挿入孔直下にそれぞれ設けられる複数の端子受け部と、前記本体側器体内に収納され、当該他の面の複数組みの複数の端子挿入孔直下にそれぞれ設けられる複数組みの複数の端子受け部と、前記本体側器体内に収納され、前記本体電源入力部の複数のプラグ式接続端子、前記本体電源出力部の複数の端子受け部、および当該他の面の複数組みの複数の端子挿入孔直下における複数組みの複数の端子受け部を、それぞれ極性別に電気的に接続する複数の導電部とを備え、
前記本体電源入力部を構成する前記本体側器体の部分は、前記本体電源入力部の複数のプラグ式接続端子と前記接続コンセントの複数の端子受け部とがそれぞれ電気的に接続しているときに、これらの接続部分を密閉する形状に形成されている一方、
前記本体電源出力部を構成する前記本体側器体の部分および前記増設電源入力部を構成する前記増設側器体の部分は、前記本体電源出力部の複数の端子受け部と前記増設電源入力部の複数のプラグ式接続端子とがそれぞれ電気的に接続しているときに、これらの接続部分を密閉する形状に形成されている
ことを特徴とする請求項１記載のテーブルタップシステム。
【請求項３】
前記増設側器体は、一の方向を長手方向とする中空の平角状に形成され、各側面における幅広の両側面のうち一方の側面に、当該複数組みの複数の端子挿入孔を有し、
前記本体側器体は、一の方向を長手方向とする中空の平角状に形成され、各側面における幅広の両側面のうち一方の側面に、当該複数組みの複数の端子挿入孔を有し、
前記本体側器体の本体電源入力部は、前記本体側器体の両端面のうち一方の端面と、この端面の外周縁から前記本体側器体の各側面と面一となって延出し、前記本体側器体の前記幅広の両側面から延出する部分にそれぞれ一対の切欠けを有する筒状部とにより構成され、この筒状部内の前記一方の端面に前記本体電源入力部の複数のプラグ式接続端子を突出保持し、これら複数のプラグ式接続端子が、それぞれ前記接続コンセントの複数の端子受け部と電気的に接続されるときに、当該本体電源入力部の筒状部により、前記接続コンセントとの接続部分を嵌合密閉するとともに前記接続コンセントの両側を狭持してその接続コンセントとの機械的接続を強固にし、
前記本体側器体の本体電源出力部は、前記本体側器体の他方の端面と、この端面の外周縁を除く残部に膨出され、膨出面に前記本体電源出力部の複数の端子挿入孔を有し、前記本体電源入力部の筒状部よりも寸法の大きい膨出部とにより構成される一方、前記増設側器体の増設電源入力部は、前記増設側器体の両端面のうち一方の端面と、この端面の外周縁から前記増設側器体の各側面と面一となって延出し、前記本体電源出力部の膨出部と嵌合する筒状部とにより構成され、この筒状部内の前記一方の端面に前記増設電源入力部の複数のプラグ式接続端子を突出保持し、
前記本体電源出力部の複数の端子受け部と前記増設電源入力部の複数のプラグ式接続端子とがそれぞれ電気的に接続しているときに、これらの接続部分を、前記本体電源出力部の膨出部と前記増設電源入力部の筒状部との嵌合により密閉するとともに機械的接続を強固にする
ことを特徴とする請求項１または２記載のテーブルタップシステム。
【請求項４】
前記コードユニット、前記増設ユニットおよび前記本体ユニットの各々は、電圧極および中性極の２極用のものであり、
前記増設電源入力部および前記本体電源出力部の各々に、逆接続防止手段が設けられていることを特徴とする請求項１から３のいずれかに記載のテーブルタップシステム。
【請求項５】
前記接続コンセントおよび前記本体電源入力部のうち少なくとも接続コンセントに、それら接続コンセントおよび本体電源入力部の接続状態が正常であるかどうかを示す接続状態認識手段を備えることを特徴とする請求項１から４のいずれかに記載のテーブルタップシステム。
【請求項６】
前記接続コンセントは、前記本体側器体の本体電源入力部の一対の切欠けに対応する位置にそれぞれ一対の滑り止め部を有し、
前記増設ユニットは、前記増設側器体の各側面における幅狭の両側面に滑り止め部を有し、
前記本体ユニットは、前記本体側器体の各側面における幅狭の両側面に滑り止め部を有する
ことを特徴とする請求項３から５のいずれかに記載のテーブルタップシステム。
【請求項７】
前記コードユニット、前記増設ユニットおよび前記本体ユニットの各々は、電圧極および中性極の２極用のものであり、
前記複数のプラグ式接続端子は前記コードユニットの電源プラグの複数のプラグ端子と同形状のものであり、
前記増設電源入力部の筒状部は、前記増設側器体の前記幅広の両側面のうち他方の側面と面一となる部分が、当該筒状部に着脱自在に装着されるカバーであり、
前記増設電源入力部は、当該複数のプラグ式接続端子の基端側を、それらの先端側を前記カバー側に屈曲自在に保持する保持機構を備えている
ことを特徴とする請求項３から６のいずれかに記載のテーブルタップシステム。
【請求項８】
前記コードユニットについて電源コードの長さの違うものを各種備え、
前記増設ユニットおよび前記本体ユニットの各々について、前記他の面における各組みの複数の端子挿入孔およびこれら直下の複数の端子受け部により構成される各コンセント口のうち、少なくとも１つのコンセント口の電源を入切するための入切スイッチを少なくとも１つ有しているものと有していないものとの２種類を少なくとも備える
ことを特徴とする請求項１から７のいずれかに記載のテーブルタップシステム。
【請求項９】
請求項１から８のいずれかに記載のテーブルタップシステムを構成することを特徴とする増設ユニット。
【請求項１０】
請求項１から８のいずれかに記載のテーブルタップシステムを構成することを特徴とする本体ユニット。
【発明の詳細な説明】
【技術分野】
【０００１】
本発明は、コードユニットと、複数のコンセント口を有する本体ユニットと、複数のコンセント口を有する増設ユニットとにより構成されるテーブルタップシステム、これを構成する増設ユニットおよび本体ユニットに関するものである。
【背景技術】
【０００２】
図８は従来のテーブルタップの斜視図（ａ）およびその分解斜視図（ｂ）である。この図に示す従来のテーブルタップは、一対のプラグ端子（栓刃）屈曲（スナップ）型の電源プラグ１１と、複数（図では３つ）のコンセント口を有するいわゆるベターテーブルタップ４と、これらを電気的に接続する電源コード１３とにより構成されている。
【０００３】
図９は図８のテーブルタップにいわゆる三角タップを加えた斜視図である。この図に示すように、上記ベターテーブルタップ４の一のコンセント口に三角タップ５を接続することにより、コンセント口の口数を増やすことができる。
【０００４】
図１０は連結型のテーブルタップを示す図である。この図に示す従来のテーブルタップ６は、オス、メスのハーネス構造を有するので、各テーブルタップ６を所望の数だけ連結することができるようになっている。
【０００５】
なお、特許文献１，２には、電源の先行配線の施工に使用されるハーネスプラグ、ハーネスコネクタ、ゾーンプルボックスおよび電源ケーブルなどが開示されている。
【特許文献１】特開平５−２９０２６号公報
【特許文献２】特開平５−２９０２７号公報
【発明の開示】
【発明が解決しようとする課題】
【０００６】
上記図８に示す従来のテーブルタップでは、図９に示すように、三角タップや３口のコンセント口を有するいわゆるトリプルタップなどの各種タップを使用することにより、コンセント口の口数を容易に増やすことができる。同様に、図９に示す連結型のテーブルタップを使用すれば、口数を所定倍に増やすことができる。
【０００７】
しかしながら、上記図８から図９に示す従来のテーブルタップでは、コンセントの口数の増大を制限することができないという課題がある。
【０００８】
なお、図９に示すようなタップによる口数増大の構成では、見栄えが非常に悪くなるという問題もある。また、図８に示す従来のテーブルタップでは、電源コード１３の長さを変更する場合、図８（ｂ）に示すように、電源プラグ１１およびベターテーブルタップ４から電源コード１３を取り外し、所望の長さの電源コード１３を電源プラグ１１およびベターテーブルタップ４に接続し直す必要があるため、そのような作業のできない利用者にとっては、図８（ａ）に示すような所望の長さのテーブルタップに買い換えなければならないという問題もある。また、図８に示すテーブルタップが一体式のものであれば、もはや所望の長さのものに買い換えるしか手がない。
【０００９】
本発明は、上記事情に鑑みてなされたものであり、コンセント口の口数を容易に増減することができ、口数増大などで生じる接続部分の防塵および防水が可能となり、コンセントの口数の増大を制限することができるテーブルタップシステム、これを構成する増設ユニットおよび本体ユニットを提供することを目的とする。
【課題を解決するための手段】
【００１０】
上記課題を解決するための請求項１記載の発明は、コードユニットと、複数のコンセント口を有する本体ユニットと、複数のコンセント口を有する増設ユニットとにより構成されるテーブルタップシステムであって、前記本体ユニットは、前記コードユニットと接続されこのコードユニットとの接続部分を密閉する構造を持つ本体電源入力部と、この本体電源入力部との相互接続を禁止する構造を持ち前記増設ユニットと接続される本体電源出力部とを備える一方、前記増設ユニットは、前記本体ユニットの本体電源出力部と接続される増設電源入力部を備え、前記本体電源出力部および前記増設電源入力部は、これらの接続部分を密閉する構造になっていることを特徴とする。
【００１１】
この構成では、本体ユニットに増設ユニットを取り付けることにより、コンセントの口数を容易に増やすことができるほか、本体ユニットから増設ユニットを取り外すことにより、その口数を容易に減らすことができる。また、本体電源出力部と増設電源入力部との接続時に、これらの接続部分が密閉されるとともに、本体電源入力部とコードユニットとの接続時に、これらの接続部分が密閉されるので、それら接続部分の防塵および防水が可能となる。しかも、本体電源出力部が本体電源入力部との相互接続を禁止する構造になっているから、利用者が本体ユニットを複数個所有している場合でも、本体電源入力部および本体電源出力部を備える本体ユニットを、複数接続することができないので、コンセントの口数の増大を制限することができる。
【００１２】
請求項２記載の発明は、請求項１記載のテーブルタップシステムにおいて、前記コードユニットと、前記増設ユニットと、前記本体ユニットとのみを備え、前記コードユニットは、複数のプラグ端子を突出保持する電源プラグと、複数の端子挿入孔を有するとともにこれら複数の端子挿入孔直下にそれぞれ複数の端子受け部を収納する接続コンセントと、これら電源プラグおよび接続コンセントと接続され、前記電源プラグの複数のプラグ端子と前記接続コンセントの複数の端子受け部とをそれぞれ電気的に接続する電源コードとを備え、前記増設ユニットは、中空の多面体形状に形成され、前記増設電源入力部を一の面に構成し、その他の面に外部機器からの電源プラグの複数のプラグ端子をそれぞれ挿入するための複数の端子挿入孔を複数組み有する増設側器体と、前記増設電源入力部に設けられるとともに突出保持される複数のプラグ式接続端子と、前記増設側器体内に収納され、当該他の面の複数組みの複数の端子挿入孔直下にそれぞれ設けられる複数組みの複数の端子受け部と、前記増設側器体内に収納され、当該複数のプラグ式接続端子および当該複数組みの複数の端子受け部をそれぞれ極性別に電気的に接続する複数の導電部とを備え、前記本体ユニットは、中空の多面体形状に形成され、一の面に前記本体電源入力部が構成されるとともに、その別の面に、前記本体電源出力部が、前記増設電源入力部の複数のプラグ式接続端子をそれぞれ挿入するための複数の端子挿入孔を有する構造に構成され、その他の面に、外部機器からの電源プラグの複数のプラグ端子をそれぞれ挿入するための複数の端子挿入孔を複数組み有する本体側器体と、前記本体電源入力部に設けられるとともに突出保持され、前記接続コンセントの複数の端子受け部と電気的に接離自在に接続される複数のプラグ式接続端子と、前記本体電源出力部に設けられて前記本体側器体内に収納され、当該本体電源出力部の複数の端子挿入孔直下にそれぞれ設けられる複数の端子受け部と、前記本体側器体内に収納され、当該他の面の複数組みの複数の端子挿入孔直下にそれぞれ設けられる複数組みの複数の端子受け部と、前記本体側器体内に収納され、前記本体電源入力部の複数のプラグ式接続端子、前記本体電源出力部の複数の端子受け部、および当該他の面の複数組みの複数の端子挿入孔直下における複数組みの複数の端子受け部を、それぞれ極性別に電気的に接続する複数の導電部とを備え、前記本体電源入力部を構成する前記本体側器体の部分は、前記本体電源入力部の複数のプラグ式接続端子と前記接続コンセントの複数の端子受け部とがそれぞれ電気的に接続しているときに、これらの接続部分を密閉する形状に形成されている一方、前記本体電源出力部を構成する前記本体側器体の部分および前記増設電源入力部を構成する前記増設側器体の部分は、前記本体電源出力部の複数の端子受け部と前記増設電源入力部の複数のプラグ式接続端子とがそれぞれ電気的に接続しているときに、これらの接続部分を密閉する形状に形成されていることを特徴とする。この構成では、本体電源入力部と接続コンセントとの電気的接続時に、これらの接続部分が、本体電源入力部を構成する本体側器体の部分により密閉されるとともに、本体電源出力部と増設電源入力部との電気的接続時に、これらの接続部分が、本体電源出力部を構成する本体側器体の部分および増設電源入力部を構成する増設側器体の部分により密閉されるので、それら接続部分の防塵および防水が可能となる。しかも、コードユニットと、増設ユニットと、本体ユニットとのみを備えるので、コンセントの口数の増大をより好適に制限することができる。
【００１３】
請求項３記載の発明は、請求項１または２記載のテーブルタップシステムにおいて、前記増設側器体は、一の方向を長手方向とする中空の平角状に形成され、各側面における幅広の両側面のうち一方の側面に、当該複数組みの複数の端子挿入孔を有し、前記本体側器体は、一の方向を長手方向とする中空の平角状に形成され、各側面における幅広の両側面のうち一方の側面に、当該複数組みの複数の端子挿入孔を有し、前記本体側器体の本体電源入力部は、前記本体側器体の両端面のうち一方の端面と、この端面の外周縁から前記本体側器体の各側面と面一となって延出し、前記本体側器体の前記幅広の両側面から延出する部分にそれぞれ一対の切欠けを有する筒状部とにより構成され、この筒状部内の前記一方の端面に前記本体電源入力部の複数のプラグ式接続端子を突出保持し、これら複数のプラグ式接続端子が、それぞれ前記接続コンセントの複数の端子受け部と電気的に接続されるときに、当該本体電源入力部の筒状部により、前記接続コンセントとの接続部分を嵌合密閉するとともに前記接続コンセントの両側を狭持してその接続コンセントとの機械的接続を強固にし、前記本体側器体の本体電源出力部は、前記本体側器体の他方の端面と、この端面の外周縁を除く残部に膨出され、膨出面に前記本体電源出力部の複数の端子挿入孔を有し、前記本体電源入力部の筒状部よりも寸法の大きい膨出部とにより構成される一方、前記増設側器体の増設電源入力部は、前記増設側器体の両端面のうち一方の端面と、この端面の外周縁から前記増設側器体の各側面と面一となって延出し、前記本体電源出力部の膨出部と嵌合する筒状部とにより構成され、この筒状部内の前記一方の端面に前記増設電源入力部の複数のプラグ式接続端子を突出保持し、前記本体電源出力部の複数の端子受け部と前記増設電源入力部の複数のプラグ式接続端子とがそれぞれ電気的に接続しているときに、これらの接続部分を、前記本体電源出力部の膨出部と前記増設電源入力部の筒状部との嵌合により密閉するとともに機械的接続を強固にすることを特徴とする。この構成では、本体電源入力部と接続コンセントとの電気的接続時に、本体側器体の本体電源入力部が、接続コンセントとの接続部分を嵌合密閉するとともに接続コンセントの両側を狭持してそれとの機械的接続を強固にするので、その接続部分の防塵および防水が可能となるほか、本体電源入力部の各プラグ式接続端子にかかる応力を軽減することができ、接続の安定化を図ることができる。また、本体電源出力部と増設電源入力部との電気的接続時に、これらの接続部分を膨出部と筒状部との嵌合により密閉するとともに機械的接続を強固にするので、その接続部分の防塵および防水が可能となるほか、増設電源入力部の各プラグ式接続端子にかかる応力を軽減することができ、接続の安定化を図ることができる。
【００１４】
請求項４記載の発明は、請求項１から３のいずれかに記載のテーブルタップシステムにおいて、前記コードユニット、前記増設ユニットおよび前記本体ユニットの各々は、電圧極および中性極の２極用のものであり、前記増設電源入力部および前記本体電源出力部の各々に、逆接続防止手段が設けられていることを特徴とする。この構成では、増設電源入力部および本体電源出力部が逆接続されるのを防止することができる。
【００１５】
請求項５記載の発明は、請求項１から４のいずれかに記載のテーブルタップシステムにおいて、前記接続コンセントおよび前記本体電源入力部のうち少なくとも接続コンセントに、それら接続コンセントおよび本体電源入力部の接続状態が正常であるかどうかを示す接続状態認識手段を備えることを特徴とする。この構成では、接続コンセントおよび本体電源入力部の接続状態が正常であるかどうかを知ることができる。
【００１６】
請求項６記載の発明は、請求項３から５のいずれかに記載のテーブルタップシステムにおいて、前記接続コンセントは、前記本体側器体の本体電源入力部の一対の切欠けに対応する位置にそれぞれ一対の滑り止め部を有し、前記増設ユニットは、前記増設側器体の各側面における幅狭の両側面に滑り止め部を有し、前記本体ユニットは、前記本体側器体の各側面における幅狭の両側面に滑り止め部を有することを特徴とする。この構成では、接続コンセントと本体ユニットとの着脱がし易くなるとともに、増設ユニットと本体ユニットとの着脱がし易くなる。
【００１７】
請求項７記載の発明は、請求項３から６のいずれかに記載のテーブルタップシステムにおいて、前記コードユニット、前記増設ユニットおよび前記本体ユニットの各々は、電圧極および中性極の２極用のものであり、前記複数のプラグ式接続端子は前記コードユニットの電源プラグの複数のプラグ端子と同形状のものであり、前記増設電源入力部の筒状部は、前記増設側器体の前記幅広の両側面のうち他方の側面と面一となる部分が、当該筒状部に着脱自在に装着されるカバーであり、前記増設電源入力部は、当該複数のプラグ式接続端子の基端側を、それらの先端側を前記カバー側に屈曲自在に保持する保持機構を備えていることを特徴とする。この構成では、カバーを外して増設電源入力部の複数のプラグ式接続端子の先端側をカバーのもとの位置に屈曲することにより、それら複数のプラグ式接続端子を壁コンセントに接続して使用することができる。
【００１８】
請求項８記載の発明は、請求項１から７のいずれかに記載のテーブルタップシステムにおいて、前記コードユニットについて電源コードの長さの違うものを各種備え、前記増設ユニットおよび前記本体ユニットの各々について、前記他の面における各組みの複数の端子挿入孔およびこれら直下の複数の端子受け部により構成される各コンセント口のうち、少なくとも１つのコンセント口の電源を入切するための入切スイッチを少なくとも１つ有しているものと有していないものとの２種類を少なくとも備えることを特徴とする。この構成では、コンセント口の口数を容易に増減することができるほか、所望の長さのコードユニットに取り替えるだけで、テーブルタップシステムの電源コードの長さを容易に変更することができるとともに、入切スイッチの有る無しの増設ユニットまたは本体ユニットに取り替えるだけで、入切スイッチの有る無しのコンセント口に容易に変更することができる。
【００１９】
請求項９記載の発明は、請求項１から８のいずれかに記載のテーブルタップシステムを構成することを特徴とする増設ユニットである。この増設ユニットをテーブルタップシステムに使用することにより、コンセント口の口数を容易に増減することができることに加えて、コンセントの口数の増大を制限することができる。
【００２０】
請求項１０記載の発明は、請求項１から８のいずれかに記載のテーブルタップシステムを構成することを特徴とする本体ユニットである。この本体ユニットをテーブルタップシステムに使用することにより、コンセント口の口数を容易に増減することができることに加えて、コンセントの口数の増大を制限することができる。
【発明の効果】
【００２１】
本発明によれば、コンセント口の口数を容易に増減することができ、口数増大などで生じる接続部分、すなわち本体電源出力部と増設電源入力部との接続部分のほか、本体電源入力部とコードユニットとの接続部分の防塵および防水が可能となり、コンセントの口数の増大を制限することができる。
【発明を実施するための最良の形態】
【００２２】
（実施形態１）
図１は本発明による実施形態１のテーブルタップシステムの各ユニットを分離した様子を示す斜視図である。
【００２３】
本実施形態１のテーブルタップシステムは、電圧極および中性極の２極用のものであって、例えば、壁コンセントに接続されるとともに、交流電力を必要とする各種外部機器と接続されることにより、壁コンセントからの交流電力を各種外部機器に供給するものであり、図１に示すように、コードユニット１と、増設ユニット２と、本体ユニット３とのみを備える構成になっている。
【００２４】
コードユニット１は、壁コンセントなどに接続される複数のプラグ端子（図では栓刃）１１１，１１１を突出保持する電源プラグ１１と、複数の端子挿入孔を有するとともにこれら複数の端子挿入孔直下にそれぞれ複数の端子受け部を収納する直方体状の接続コンセント１２と、これら電源プラグ１１および接続コンセント１２と接続され、電源プラグ１１の複数のプラグ端子１１１，１１１と接続コンセント１２の複数の端子受け部とをそれぞれ電気的に接続する電源コード１３とにより構成されている。
【００２５】
増設ユニット２は、増設用のタップであり、ハーフ２１，２２により、中空の多面体形状、図では一の方向を長手方向とする中空の平角状に形成される絶縁樹脂製の増設側器体２０を備えている。
【００２６】
この増設側器体２０は、増設電源入力部２Ａを一の面（図では後述の筒状部２００内の右下側の面）に構成し、その他の面に含まれる各側面における幅広の両側面のうち、一方の側面（図では増設ユニット２の正面部となるハーフ２１の正面部２１０）に、外部機器からの電源プラグの複数のプラグ端子をそれぞれ挿入するための複数の端子挿入孔（図では栓刃挿入孔）２１０ａ，２１０ｂを複数組み（図では２組み）有している。
【００２７】
増設電源入力部２Ａは、増設側器体２０の両端面のうち一方の端面（増設側器体２０の上記一の面）と、この端面の外周縁から増設側器体２０の各側面と面一となって延出し、後述の膨出部３０１と嵌合される筒状部２００とにより構成されている。一方、端子挿入孔２１０ａ，２１０ｂは、それぞれ電圧極用の挿入孔およびこれよりも幅広の中性極用の挿入孔になっている。
【００２８】
また、増設ユニット２は、増設電源入力部２Ａに設けられるとともに突出保持される複数のプラグ式接続端子２３，２３を備えている。これら複数のプラグ式接続端子２３，２３は、コードユニット１の電源プラグ１１の複数のプラグ端子１１１，１１１と同形状の栓刃になっており、増設電源入力部２Ａの筒状部２００内の上記一方の端面に突出保持されている。
【００２９】
さらに、増設ユニット２は、増設側器体２０内に収納され、正面部２１０の複数組みの複数の端子挿入孔２１０ａ，２１０ａ，２１０ｂ，２１０ｂ直下にそれぞれ設けられる図示しない複数組みの複数の端子受け部（刃受けばね）と、増設側器体２０内に収納され、複数のプラグ式接続端子２３，２３および複数組みの複数の端子受け部をそれぞれ極性別に電気的に接続する複数の導電部（図示せず）とを備えている。つまり、各端子挿入孔２１０ａ直下の各端子受け部と、一方（図では左方）のプラグ式接続端子２３とが一方の導電部により電気的に接続される。同様に、各端子挿入孔２１０ｂ直下の各端子受け部と、他方のプラグ式接続端子２３とが他方の導電部により電気的に接続される。なお、互いに電気的に接続される各端子受け部、導電部およびプラグ式接続端子２３は、別体に構成されるほか、一体的に構成される場合もある。
【００３０】
本体ユニット３は、メインのタップであり、ハーフ３１，３２により、中空の多面体形状、図では一の方向を長手方向とする中空の平角状に形成される絶縁樹脂製の本体側器体３０を備えている。
【００３１】
この本体側器体３０は、本体電源入力部３Ａと、増設電源入力部２Ａの複数のプラグ式接続端子２３，２３をそれぞれ挿入するための複数の端子挿入孔（図では隠れている）を有する本体電源出力部３Ｂとを、それぞれ、一の面（右下側の面）と、これと対向する別の面とに構成している。そして、本体側器体３０は、その他の面に含まれる各側面における幅広の両側面のうち、一方の側面（本体ユニット３の正面部となるハーフ３１の正面部３１０）に、外部機器からの電源プラグの複数のプラグ端子をそれぞれ挿入するための複数の端子挿入孔（栓刃挿入孔）３１０ａ，３１０ｂを複数組み（２組み）有している。
【００３２】
本体電源入力部３Ａは、本体側器体３０の両端面のうち一方の端面（本体側器体３０の上記一の面）と、この端面の外周縁から本体側器体３０の各側面と面一となって延出する筒状に形成され、接続コンセント１２と嵌合する開口３００ａを有するとともに、本体側器体３０の幅広の両側面から延出する部分にそれぞれ一対のＵ字状の切欠け３００ｂ，３００ｃを有する筒状部３００とにより構成されている。
【００３３】
本体電源出力部３Ｂは、本体側器体３０の他方の端面と、この端面の外周縁を除く残部に膨出され、膨出面に本体電源出力部３Ｂの複数の端子挿入孔を有し、本体電源入力部３Ａの筒状部３００よりも寸法の大きい膨出部３０１とにより構成されている。なお、端子挿入孔３１０ａ，３１０ｂは、それぞれ電圧極用の挿入孔およびこれよりも幅広の中性極用の挿入孔になっている。
【００３４】
また、本体ユニット３は、本体電源入力部３Ａに設けられるとともに突出保持され、接続コンセント１２の複数の端子受け部と電気的に接離自在に接続される複数のプラグ式接続端子３３，３３（図では左方の３３は隠れている）と、本体電源出力部３Ｂに設けられて本体側器体３０の膨出部３０１側に収納され、本体電源出力部３Ｂの複数の端子挿入孔直下にそれぞれ設けられる図示しない複数の端子受け部（刃受けばね）とを備えている。なお、複数のプラグ式接続端子３３，３３は、コードユニット１の電源プラグ１１の複数のプラグ端子１１１，１１１と同形状の栓刃になっている。
【００３５】
さらに、本体ユニット３は、本体側器体３０内に収納され、正面部３１０の複数組みの複数の端子挿入孔３１０ａ，３１０ａ，３１０ｂ，３１０ｂ直下にそれぞれ設けられる図示しない複数組みの複数の端子受け部（刃受けばね）と、本体側器体３０内に収納され、複数のプラグ式接続端子３３，３３、本体電源出力部３Ｂの複数の端子受け部、および正面部３１０の複数組みの複数の端子挿入孔直下における複数組みの複数の端子受け部を、それぞれ極性別に電気的に接続する複数の導電部とを備えている。つまり、一方（左方）のプラグ式接続端子３３、本体電源出力部３Ｂの一方の端子受け部および各端子挿入孔３１０ａ直下の各端子受け部が一方の導電部により電気的に接続される。同様に、他方のプラグ式接続端子３３、本体電源出力部３Ｂの他方の端子受け部および各端子挿入孔３１０ｂ直下の各端子受け部が他方の導電部により電気的に接続される。なお、互いに電気的に接続されるプラグ式接続端子３３、本体電源出力部３Ｂの端子受け部および当該各端子受け部は、別体に構成されるほか、一体的に構成される場合もある。
【００３６】
ここで、本実施形態１の特徴として、本体電源出力部３Ｂが本体電源入力部３Ａとの相互接続を禁止する構造になっている。つまり、本体電源出力部３Ｂの膨出部３０１は、本体電源入力部３Ａの筒状部３００よりも寸法が大きくなっている。
【００３７】
また、本体電源入力部３Ａを構成する本体側器体３０の部分は、本体電源入力部３Ａの複数のプラグ式接続端子３３，３３と接続コンセント１２の複数の端子受け部とがそれぞれ電気的に接続しているときに、これらの接続部分を密閉する。つまり、本体側器体３０の本体電源入力部３Ａは、筒状部３００により、接続コンセント１２との接続部分を嵌合密閉するとともに接続コンセント１２の両側を狭持してその接続コンセント１２との機械的接続を強固にする。
【００３８】
さらに、本体電源出力部３Ｂを構成する本体側器体３０の部分および増設電源入力部２Ａを構成する増設側器体２０の部分は、本体電源出力部３Ｂの複数の端子受け部と増設電源入力部２Ａの複数のプラグ式接続端子２３，２３とがそれぞれ電気的に接続しているときに、これらの接続部分を密閉する。つまり、それらの接続部分を、膨出部３０１と筒状部２００との嵌合により密閉するとともに機械的接続を強固にする。
【００３９】
以上、本実施形態１によれば、本体ユニット３に増設ユニット２を取り付けることにより、一組の各端子挿入孔および各端子受け部により構成されるコンセント口の口数を容易に増やすことができるほか、本体ユニット３から増設ユニット２を取り外すことにより、その口数を容易に減らすことができる。また、本体電源出力部３Ｂと増設電源入力部２Ａとの電気的接続時に、これらの接続部分が、本体電源出力部３Ｂを構成する本体側器体３０の膨出部３０１および増設電源入力部２Ａを構成する増設側器体２０の筒状部２００により密閉されるとともに、本体電源入力部３Ａと接続コンセント１２との電気的接続時に、これらの接続部分が、本体電源入力部３Ａを構成する本体側器体３０の筒状部３００により密閉されるので、それら接続部分の防塵および防水が可能となる。しかも、本体電源出力部３Ｂが本体電源入力部３Ａとの相互接続を禁止する構造、本実施形態１では、本体電源出力部３Ｂの膨出部３０１が本体電源入力部３Ａの筒状部３００よりも大きい寸法になっているから、利用者が本体ユニット３を複数個所有している場合でも、本体電源入力部３Ａおよび本体電源出力部３Ｂを備える本体ユニット３を、複数接続することができないので、コンセントの口数の増大を制限することができる。また、コードユニットと、増設ユニットと、本体ユニットとのみを備えるので、コンセントの口数の増大をより好適に制限することができる。
【００４０】
さらに、本体電源入力部３Ａと接続コンセント１２との電気的接続時に、本体側器体３０の本体電源入力部３Ａが、接続コンセント１２との接続部分を嵌合密閉するとともに接続コンセント１２の両側を狭持してそれとの機械的接続を強固にするので、その接続部分の防塵および防水が可能となるほか、本体電源入力部３Ａの各プラグ式接続端子３３，３３にかかる応力を軽減することができ、接続の安定化を図ることができる。また、本体電源出力部３Ｂと増設電源入力部２Ａとの電気的接続時に、これらの接続部分を膨出部３０１と筒状部２００との嵌合により密閉するとともに機械的接続を強固にするので、その接続部分の防塵および防水が可能となるほか、増設電源入力部２Ａの各プラグ式接続端子２３，２３にかかる応力を軽減することができ、接続の安定化を図ることができる。
【００４１】
（実施形態２）
図２は本発明による実施形態２のテーブルタップシステムの正面図（ａ）、増設ユニットの一方の端面側を示す図（ｂ）、本体ユニットの他方の端面側を示す図（ｃ）およびコードユニットの一部を示す図（ｄ）である。
【００４２】
本実施形態２のテーブルタップシステムは、実施形態１において、図２に示すように、増設電源入力部２Ａおよび本体電源出力部３Ｂの各々に、逆接続防止手段が設けられていることを第１の特徴とする。
【００４３】
上記逆接続防止手段としては、突起２００ａが、増設電源入力部２Ａの筒状部２００の内面におけるハーフ２２側に突設されている一方、その突起２００ａと嵌合する凹溝３０１ａが、本体電源出力部３Ｂの膨出部３０１の外周面におけるハーフ３２側に形成されている。なお、これに限らず、突起２００ａおよび凹溝３０１ａが、それぞれハーフ２１およびハーフ３１側に設けられる構成でも、突起および凹溝が、それぞれ膨出部３０１および筒状部２００に設けられる構成でもよい。
【００４４】
また、本実施形態２のテーブルタップシステムは、接続コンセント１２および本体電源入力部３Ａのうち少なくとも接続コンセント１２に、それら接続コンセント１２および本体電源入力部３Ａの接続状態が正常であるかどうかを示す接続状態認識手段を備えることを第２の特徴とする。
【００４５】
上記接続状態認識手段としては、上述の一対の切欠け３００ｂ，３００ｃに対応する位置に有る、接続コンセント１２の一方の両側に、接続コンセント１２および本体電源入力部３Ａの接続状態が正常でない場合にそれら切欠け３００ｂ，３００ｃ内の空所に望む赤色などの表示１２ａが付されている一方、接続コンセント１２の他方の両側および本体電源入力部３Ａの筒状部３００内に、接続コンセント１２および本体電源入力部３Ａの接続状態が正常である場合に互いに嵌合する突起１２，１２および窪み（図示せず）がそれぞれ形成されている。なお、これら突起および窪みは、それぞれ筒状部３００内および接続コンセント１２の他方の両側に設けられる構成でもよい。また、表示１２ａは、接続コンセント１２の一方の両側のいずれかに付される構成でもよい。
【００４６】
以上、本実施形態２によれば、逆接続防止手段により、増設電源入力部２Ａおよび本体電源出力部３Ｂが逆接続されるのを防止することができる。また、接続状態認識手段により、接続コンセント１２および本体電源入力部３Ａの接続状態が正常であるかどうかを知ることができる。
【００４７】
（実施形態３）
図３は本発明による実施形態３のテーブルタップシステムにおけるコードユニットおよび本体ユニットの正面図（ａ）およびその断面図（ｂ）である。
【００４８】
本実施形態３のテーブルタップシステムは、実施形態１または２において、図２に示すように、接続コンセント１２が、本体側器体３０の本体電源入力部３Ａの一対の切欠け３００ｂ，３００ｃに対応する位置に、複数の段差による一対の滑り止め部１２ｃ，１２ｃをそれぞれ有し、増設ユニット２が、増設側器体２０の各側面における幅狭の両側面２０５，２０６に、長手方向に沿う若干のうねりを持つ滑り止め部２０５ａ，２０６ａを有し（図２（ａ）参照）、本体ユニット３が、本体側器体３０の各側面における幅狭の両側面３０５，３０６に、長手方向に沿う若干のうねりを持つ滑り止め部３０５ａ，３０６ａを有することを特徴とする。また、滑り止め部１２ｃ，１２ｃは、本体ユニット３の膨出部３０１側に近くなるほど厚みが薄くなる傾斜構造になっている。
【００４９】
以上、本実施形態３によれば、接続コンセント１２と本体ユニット３との着脱がし易くなるとともに、増設ユニット２と本体ユニット３との着脱がし易くなる。
【００５０】
（実施形態４）
図４は本発明による実施形態４のテーブルタップシステムにおける増設ユニットの正面図（ａ）、側面図（ｂ）、背面図（ｃ）およびそのカバーを示す図（ｄ）、図５は同増設ユニットの一部拡大斜視図、図６は同増設ユニットの保持機構を示す図（ａ）およびその側方から見た図（ｂ）である。
【００５１】
本実施形態４のテーブルタップシステムは、実施形態１から３のいずれかにおいて、図４に示すように、増設電源入力部２Ａの筒状部２００は、増設側器体２０の幅広の両側面のうち他方の側面（増設ユニット２の背面部となるハーフ２２の背面部２２０）と面一となる部分が、筒状部２００に着脱自在に装着されるカバー２００ｂであり、図５，図６に示すように、増設電源入力部２Ａが、複数のプラグ式接続端子２３，２３の基端２３０，２３０側を、それらの先端２３１，２３１側をカバー２００ｂ側に屈曲自在に保持する従来と同様の保持機構（皿バネによる回転機構）２０Ａを備えていることを特徴とする。なお、２００Ａは複数のプラグ式接続端子２３，２３の基端２３０，２３０側を軸支する軸であり、２００Ｂは、プラグ式接続端子２３を、増設ユニット２内の対応する導電部に電気的に接続するためのコードである。
【００５２】
以上、本実施形態４によれば、カバー２００ｂを外して増設電源入力部２Ａの複数のプラグ式接続端子２３，２３の先端２３１，２３１側をカバー２００ｂのもとの位置に屈曲することにより、それら複数のプラグ式接続端子２３，２３を壁コンセントに接続して使用することができる。
【００５３】
（実施形態５）
図７は本発明による実施形態５のテーブルタップシステムの別の種類の各ユニットを分離した様子を示す斜視図である。
【００５４】
本実施形態５のテーブルタップシステムは、実施形態１から４のいずれかにおいて、図１，図７に示すように、コードユニット１について電源コード１３の長さの違うものを各種備え、増設ユニット２および本体ユニット３の各々について、正面部２１０，３１０における各組みの複数の端子挿入孔およびこれら直下の複数の端子受け部により構成される各コンセント口のうち、少なくとも１つのコンセント口の電源を入切するための入切スイッチＳ２，Ｓ３を少なくとも１つ（図では各３つ）有しているものと有していないものとの２種類を少なくとも備えることを特徴とする。
【００５５】
具体的には、入切スイッチＳ２は、複数の端子挿入孔２１０ａ，２１０ｂ直下の複数の端子受け部のうち、電圧極または中性極の端子受け部と、これに対応するプラグ式接続端子２３との間に直列に介設される。同様に、入切スイッチＳ３は、複数の端子挿入孔３１０ａ，３１０ｂ直下の複数の端子受け部のうち、電圧極または中性極の端子受け部と、これに対応するプラグ式接続端子３３との間に直列に介設される。
【００５６】
また、図７の例に示す増設ユニット２および本体ユニット３は、図１の例に示す増設ユニット２および本体ユニット３よりも、コンセント口が１口多い３口になっている。
【００５７】
以上、本実施形態５によれば、上記各実施形態と同様に、工具を用いることなくコンセント口の口数を容易に増減することができるほか、所望の長さのコードユニット１に取り替えるだけで、テーブルタップシステムの電源コード１３の長さを容易に変更することができるとともに、入切スイッチの有る無しの増設ユニット２または本体ユニット３に取り替えるだけで、入切スイッチの有る無しのコンセント口に容易に変更することができる。
【００５８】
また、本実施形態５では、口数の違う増設ユニット２および本体ユニット３が用意されているので、コンセント口の口数を増減の幅を拡げることができる。
【図面の簡単な説明】
【００５９】
【図１】本発明による実施形態１のテーブルタップシステムの各ユニットを分離した様子を示す斜視図である。
【図２】本発明による実施形態２のテーブルタップシステムの正面図（ａ）、増設ユニットの一方の端面側を示す図（ｂ）、本体ユニットの他方の端面側を示す図（ｃ）およびコードユニットの一部を示す図（ｄ）である。
【図３】本発明による実施形態３のテーブルタップシステムにおけるコードユニットおよび本体ユニットの正面図（ａ）およびその断面図（ｂ）である。
【図４】本発明による実施形態４のテーブルタップシステムにおける増設ユニットの正面図（ａ）、側面図（ｂ）、背面図（ｃ）およびそのカバーを示す図（ｄ）である。
【図５】同増設ユニットの一部拡大斜視図である。
【図６】同増設ユニットの保持機構を示す図（ａ）およびその側方から見た図（ｂ）である。
【図７】本発明による実施形態５のテーブルタップシステムの別の種類の各ユニットを分離した様子を示す斜視図である。
【図８】従来のテーブルタップの斜視図（ａ）およびその分解斜視図（ｂ）である。
【図９】図８のテーブルタップにいわゆる三角タップを加えた斜視図である。
【図１０】連結型のテーブルタップを示す図である。
【符号の説明】
【００６０】
１  コードユニット
１１  電源プラグ
１１１  プラグ端子
１２  接続コンセント
１３  電源コード
２  増設ユニット
２Ａ  増設電源入力部
２０  増設側器体
２００  筒状部
２１，２２  ハーフ
２３  プラグ式接続端子
３  本体ユニット
３Ａ  本体電源入力部
３Ｂ  本体電源出力部
３０  本体側器体
３００  筒状部
３０１  膨出部
３１，３２  ハーフ
３３  プラグ式接続端子
【図１】
2005327632.tif 000003
【図２】
2005327632.tif 000004
【図３】
2005327632.tif 000005
【図４】
2005327632.tif 000006
【図５】
2005327632.tif 000007
【図６】
2005327632.tif 000008
【図７】
2005327632.tif 000009
【図８】
2005327632.tif 000010
【図９】
2005327632.tif 000011
【図１０】
2005327632.tif 000012